(57)【要約】【課題】  ローアングル用ファインダーとしても用いることができ、直視型ファインダーとしても用いることのできるカメラ用ビュワー装置を提供する。【解決手段】  カメラボディ１の背面側に着脱可能で箱形形状のアングルファインダーとして用いる第１形態と箱形形状の直視ファインダーとして用いる第２形態との間で展開変形可能な組み立て用のシート材９から構成され、シート材９は、第１形態として組み立てたときに、カメラボディ１の背面側に設置の表示パネル３に表示の被写体画像が映りかつ下方に向けて被写体画像を投影する第１ミラーが内面側に貼り付けられて表示パネル３に対向する第１ミラー壁部９Ｆと、第１ミラーにより投影された投影像を上方に向けて投影する第２ミラーが内面側に貼り付けられた第２ミラー壁部９Ｄと、表示パネル３に臨む窓部を有してカメラボディ１の背面側に取り付けられる取り付け壁部９Ａと、第２ミラー壁部９Ｄに対向して内部を覗く窓部を有する上部壁部９Ｇとを少なくとも有する。【選択図】  図１
2007033968.tif 000002
【特許請求の範囲】
【請求項１】
カメラボディの背面側に着脱可能で箱形形状のアングルファインダーとして用いる第１形態と箱形形状の直視ファインダーとして用いる第２形態との間で展開変形可能な組み立て用のシート材から構成され、該シート材は、第１形態として組み立てたときに、前記カメラボディの背面側に設置の表示パネルに表示の被写体画像が映りかつ下方に向けて被写体画像を投影する第１ミラーが内面側に貼り付けられて前記表示パネルに対向する第１ミラー壁部と、前記第１ミラーにより投影された投影像を上方に向けて投影する第２ミラーが内面側に貼り付けられた第２ミラー壁部と、前記表示パネルに臨む窓部を有して前記カメラボディの背面側に取り付けられる取り付け壁部と、前記第２ミラー壁部に対向して内部を覗く窓部を有する上部壁部とを少なくとも有するカメラ用ビュワー装置。
【請求項２】
前記シート材を前記第２形態として組み立てたときに、前記第１ミラー壁部を前記表示パネルに対向する位置から底部方向に向かって退避させた位置で固定すると共に前記上部壁部を前記表示パネルに対向する位置で固定するために前記第２ミラー壁部と前記第１ミラー壁部と前記上部壁部との位置関係を規定するアタッチメント部材を有することを特徴とする請求項１に記載のカメラ用ビュワー装置。
【請求項３】
前記シート材は、前記取り付け壁部に一体に折り曲げ可能に形成されかつ前記第２ミラー壁部と前記第１ミラー壁部と前記上部壁部とを連結して該上部壁部と前記第２ミラー壁部との対向空間に側方から入射する外光を遮断する一対の外光遮断壁部を有することを特徴とする請求項２に記載のカメラ用ビュワー装置。
【請求項４】
前記アタッチメント部材は、第２形態として前記シート材を組み立てたときに、前記第２ミラー壁部と前記第１ミラー壁部とを上方から覆う上部遮光壁部と前記第２ミラー壁部との間の対向空間に側方から入射する外光を遮光する一対の側方遮光壁部を有することを特徴とする請求項３に記載のカメラ用ビュワー装置。
【請求項５】
前記一対の外光遮断壁部には差し込み片部が形成され、前記第１ミラー壁部と前記上部壁部と前記第２ミラー壁部とにはそれぞれ前記差し込み片部を差し込む差し込み穴が形成されていることを特徴とする請求項３に記載のカメラ用ビュワー装置。
【請求項６】
前記一対の外光遮断壁部には差し込み穴が形成され、前記第１ミラー壁部と前記上部壁部と前記第２ミラー壁部とにはそれぞれ前記差し込み穴に差し込む差し込み片部が形成されていることを特徴とする請求項３に記載のカメラ用ビュワー装置。
【請求項７】
前記アタッチメント部材には、前記組み立て用シート部材に形成された差し込み穴に差し込む差し込み片部と前記組み立て用シート部材に形成された差し込み片部を差し込む差し込み穴とが形成されていることを特徴とする請求項５又は請求項６に記載のカメラ用ビュワー装置。
【請求項８】
前記上部壁部の窓部に透明部材が設けられていることを特徴とする請求項１ないし請求項７のいずれか１項に記載のカメラ用ビュワー装置。
【請求項９】
前記透明部材が接眼レンズであることを特徴とする請求項８に記載のカメラ用ビュワー装置。
【請求項１０】
カメラボディの背面部に着脱可能で箱形形状のアングルファインダーとして用いる第１形態と箱形形状の直視ファインダーとして用いる第２形態との間で展開変形可能なシート材から構成され、
該シート材は、第１形態として組み立てたときに前記カメラボディの背面部に設置の液晶表示タイプ型の表示パネルに表示の被写体画像が映りかつ下方に向けて被写体画像を投影する第１ミラーが内面側に貼り付けられて前記表示パネルに対向する第１ミラー壁部と、
前記第１ミラーにより投影された投影像を上方に向けて投影する第２ミラーが内面側に貼り付けられた第２ミラー壁部と、
前記表示パネルに臨む窓部を有して前記カメラボディの背面部に取り付けられる取り付け壁部と、
前記底部方向貼り付け壁部に対向して内部を覗く窓部を有する上部壁部と、
前記取り付け壁部に一体に折り曲げ可能に形成されかつ前記第２ミラー壁部と前記取り付け壁部と前記上部壁部とを連結して該上部壁部と前記第２ミラー壁部との対向空間に側方から入射する外光を遮光する一対の外光遮断壁部とを有し、
前記シート材は、該シート材を前記第２形態として組み立てたときに、前記第１ミラー壁部を前記表示パネルに対向する位置から底部方向に向かって退避させた位置で固定すると共に前記上部壁部を前記表示パネルに対向する位置で固定するために前記第２ミラー壁部と前記第１ミラー壁部と前記上部壁部との位置関係を規定するアタッチメント部材により固定され、
前記一対の外光遮断壁部には差し込み片部が形成され、前記取り付け壁部と前記上部壁部と前記第２ミラー壁部とにはそれぞれ前記差し込み片部が差し込まれる差し込み穴が形成され、
前記アタッチメント部材には、前記上部壁部に形成された差し込み穴と前記第１ミラー壁部に形成された差し込み穴とに差し込む差し込み片部が形成されていると共に、前記一対の外光遮断壁部に形成された差し込み片部を差し込む差し込み穴が形成されていることを特徴とするカメラ用ビュワー装置。
【請求項１１】
前記取り付け壁部と前記カメラボディとの少なくとも一方には該カメラボディに前記シート材を装着するためのマジックテープ又は磁石又は粘着テープが設けられていることを特徴とする請求項１０に記載のカメラ用ビュワー装置。
【発明の詳細な説明】
【技術分野】
【０００１】
本発明は、カメラ用ビュワー装置、更には液晶表示タイプ型デジタルカメラ用ビュワー装置の改良に関する。
【背景技術】
【０００２】
従来から、カメラ用ビュワー装置、例えば、液晶表示タイプ型デジタルカメラ用ビュワー装置には、カメラボディの背面に設けられた表示パネルに表示の被写体画像を、回動自在の支持部材に設けられたミラーを介して上下左右方向から観察できるようにしたものが知られている（例えば、特許文献１参照。）。
【特許文献１】特開２００４−２９７５６１号公報
【発明の開示】
【発明が解決しようとする課題】
【０００３】
しかしながら、この従来の液晶表示タイプ型デジタルカメラ用ビュワー装置では、ミラーの枚数が一枚であったので、カメラボディの背面側からかつ上からビュワー装置を覗き込んでローアングルファインダーとして用いて被写体画像を見た場合、被写体画像が倒立して見え、構図を感覚的に決め難いという不都合がある。
【０００４】
また、明るい場所で撮影を行う場合、外光がミラーの反射を受ける機会が多くなり、ミラーによる反射を受けて外光が目に入り易くなるため、表示パネルに表示されている被写体画像のコントラストが相対的に低くなり、表示パネルに表示されている被写体画像の視認性が低下するという不都合がある。表示パネルに表示されている被写体画像をミラーを介さずに直視した場合も同様の不都合がある。
【０００５】
そこで、カメラボディの背面側に直視型ファインダーとしてのフードを着脱可能に設けることが可能なデジタルカメラも提案されている。このものによれば、外光を遮光できるので、表示パネルに表示された被写体画像の視認性が向上する。
【０００６】
本発明は、上記の事情に鑑みて為されたもので、その目的は、ローアングル用ファインダーとしても用いることができ、直視型ファインダーとしても用いることのできるカメラ用ビュワー装置を提供することにある。
【課題を解決するための手段】
【０００７】
請求項１に記載のカメラ用ビュワー装置は、カメラボディの背面側に着脱可能で箱形形状のアングルファインダーとして用いる第１形態と箱形形状の直視ファインダーとして用いる第２形態との間で展開変形可能な組み立て用のシート材から構成され、該シート材は、第１形態として組み立てたときに、前記カメラボディの背面側に設置の表示パネルに表示の被写体画像が映りかつ下方に向けて被写体画像を投影する第１ミラーが内面側に貼り付けられて前記表示パネルに対向する第１ミラー壁部と、前記第１ミラーにより投影された投影像を上方に向けて投影する第２ミラーが内面側に貼り付けられた第２ミラー壁部と、前記表示パネルに臨む窓部を有して前記カメラボディの背面側に取り付けられる取り付け壁部と、前記第２ミラー壁部に対向して内部を覗く窓部を有する上部壁部とを少なくとも有することを特徴とする。
【０００８】
請求項２に記載のカメラ用ビュワー装置は、前記シート材を前記第２形態として組み立てたときに、前記第１ミラー壁部を前記表示パネルに対向する位置から底部方向に向かって退避させた位置で固定すると共に前記上部壁部を前記表示パネルに対向する位置で固定するために前記第２ミラー壁部と前記第１ミラー壁部と前記上部壁部との位置関係を規定するアタッチメント部材を有することを特徴とする。
【０００９】
請求項３に記載のカメラ用ビュワー装置は、前記シート材は、前記取り付け壁部に一体に折り曲げ可能に形成されかつ前記第２ミラー壁部と前記第１ミラー壁部と前記上部壁部とを連結して該上部壁部と前記第２ミラー壁部との対向空間に側方から入射する外光を遮断する一対の外光遮断壁部を有することを特徴とする。
【００１０】
請求項４に記載のカメラ用ビュワー装置は、前記アタッチメント部材は、第２形態として前記シート材を組み立てたときに、前記第２ミラー壁部と前記第１ミラー壁部とを上方から覆う上部遮光壁部と前記第２ミラー壁部との間の対向空間に側方から入射する外光を遮光する一対の側方遮光壁部を有することを特徴とする。
【００１１】
請求項５に記載のカメラ用ビュワー装置は、前記一対の外光遮断壁部には差し込み片部が形成され、前記第１ミラー壁部と前記上部壁部と前記第２ミラー壁部とにはそれぞれ前記差し込み片部を差し込む差し込み穴が形成されていることを特徴とする。
【００１２】
請求項６に記載のカメラ用ビュワー装置は、前記一対の外光遮断壁部には差し込み穴が形成され、前記第１ミラー壁部と前記上部壁部と前記第２ミラー壁部とにはそれぞれ前記差し込み穴に差し込む差し込み片部が形成されていることを特徴とする。
【００１３】
請求項７に記載のカメラ用ビュワー装置は、前記アタッチメント部材には、前記組み立て用シート部材に形成された差し込み穴に差し込む差し込み片部と前記組み立て用シート部材に形成された差し込み片部を差し込む差し込み穴とが形成されていることを特徴とする。
【００１４】
請求項８に記載のカメラ用ビュワー装置は、前記上部壁部の窓部に透明部材が設けられていることを特徴とする。
【００１５】
請求項９に記載のカメラ用ビュワー装置は、前記透明部材が接眼レンズであることを特徴とする。
【００１６】
請求項１０に記載のカメラ用ビュワー装置は、カメラボディの背面部に着脱可能で箱形形状のアングルファインダーとして用いる第１形態と箱形形状の直視ファインダーとして用いる第２形態との間で展開変形可能なシート材から構成され、
該シート材は、第１形態として組み立てたときに前記カメラボディの背面部に設置の液晶表示タイプ型の表示パネルに表示の被写体画像が映りかつ下方に向けて被写体画像を投影する第１ミラーが内面側に貼り付けられて前記表示パネルに対向する第１ミラー壁部と、
前記第１ミラーにより投影された投影像を上方に向けて投影する第２ミラーが内面側に貼り付けられた第２ミラー壁部と、
前記表示パネルに臨む窓部を有して前記カメラボディの背面部に取り付けられる取り付け壁部と、
前記底部方向貼り付け壁部に対向して内部を覗く窓部を有する上部壁部と、
前記取り付け壁部に一体に折り曲げ可能に形成されかつ前記第２ミラー壁部と前記取り付け壁部と前記上部壁部とを連結して該上部壁部と前記第２ミラー壁部との対向空間に側方から入射する外光を遮光する一対の外光遮断壁部とを有し、
前記シート材は、該シート材を前記第２形態として組み立てたときに、前記第１ミラー壁部を前記表示パネルに対向する位置から底部方向に向かって退避させた位置で固定すると共に前記上部壁部を前記表示パネルに対向する位置で固定するために前記第２ミラー壁部と前記第１ミラー壁部と前記上部壁部との位置関係を規定するアタッチメント部材により固定され、
前記一対の外光遮断壁部には差し込み片部が形成され、前記取り付け壁部と前記上部壁部と前記第２ミラー壁部とにはそれぞれ前記差し込み片部が差し込まれる差し込み穴が形成され、
前記アタッチメント部材には、前記上部壁部に形成された差し込み穴と前記第１ミラー壁部に形成された差し込み穴とに差し込む差し込み片部が形成されていると共に、前記一対の外光遮断壁部に形成された差し込み片部を差し込む差し込み穴が形成されていることを特徴とする。
【００１７】
請求項１１に記載のカメラ用ビュワー装置は、前記取り付け壁部と前記カメラボディとの少なくとも一方には該カメラボディに前記シート材を装着するためのマジックテープ(登録商標)又は磁石又は粘着テープが設けられていることを特徴とする。
【発明の効果】
【００１８】
請求項１、請求項２に記載の発明によれば、ローアングル用ファインダーとしても、また、直視型ファインダーとしても用いることができるという効果を奏する。
【００１９】
請求項３、請求項４に記載の発明によれば、外光がファインダー内に入射するのを防止でき、被写体画像の視認性が向上するという効果を奏する。
【００２０】
請求項５ないし請求項７に記載の発明によれば、部品点数を増加させることなくファインダーの組み立てを行うことができる。
【００２１】
請求項８、請求項９に記載の発明によれば、被写体画像をよりはっきりと確認できるという効果を奏する。
【００２２】
請求項１０に記載の発明によれば、ローアングル用ファインダーとしても、また、直視型ファインダーとしても用いることができ、更には、外光がファインダー内に入射するのを防止できると共に、被写体画像を拡大して視認でき、加えて、部品点数を増加させることなくファインダーの組み立てを行うことができるという効果を奏する。
【００２３】
請求項１１に記載の発明によれば、カメラボディに対するカメラ用ビューファインダー装置の着脱が容易であるという効果を奏する。
【発明を実施するための最良の形態】
【００２４】
以下に、本発明に係わるカメラ用ビュワー装置の発明の実施の形態を図面を参照しつつ説明する。
【実施例】
【００２５】
図１はデジタルカメラに本発明に係わるカメラ用ビュワー装置を取り付けた状態を示す外観図、図２、図３は本発明に係わるカメラ用ビュワー装置の展開図、図４は本発明に係わるカメラ用ビュワー装置の組み立て状態を示す外観図である。
【００２６】
その図１において、１はカメラボディである。このカメラボディ１の前面部にはレンズ鏡筒部２が設けられ、その背面部には液晶表示型の略長方形状の表示パネル３が設けられ、その上部には外部ストロボ装置接続部４、モードダイヤル５、シャッターボタン６が設けられている。このカメラボディ１の前面部、背面部、上部には、その他各種の機能を果たす部品、部材が設けられているが、これらについては図示が省略されている。
【００２７】
そのカメラボディ１の表示パネル３には、この表示パネル３を包囲する矩形状周壁７にカメラ用ビュワー装置１０が取り付けられる。このカメラ用ビュワー装置１０は、図２、図３に示す組み立て用のシート材９を折り曲げ工作することにより形成される。
【００２８】
このシート材９は、カメラボディ１の背面部に着脱可能とされて箱形形状のアングルファインダーとして用いられる第１形態（図１、図４参照）と箱形形状の直視ファインダーとして用いられる第２形態（図５、図６参照）との間で展開変形可能に構成されている。
【００２９】
このシート材９は、表示パネル３に取り付けられる取り付け壁部９Ａを有する。この取り付け壁部９Ａには表示パネル３に臨む長方形状の窓部９ａが形成されている。その取り付け壁部９Ａには、これに連続してかつ折り曲げ可能な一対の外光遮断壁部９Ｂ、９Ｃが形成されている。一対の外光遮断壁部９Ｂ、９Ｃは、図３に示す長方形状の窓部９ａの短辺の延びる方向に沿って延びる仮想折り曲げ線９ｂ、９ｃを境界として、この外光遮断壁部９Ｂ、９Ｃを取り付け壁部９Ａに対して紙面手前側に向かって直角に折り曲げることにより立ち上げられる。その外光遮光壁部９Ｂ、９Ｃのその他の詳細な構成及び作用については後述する。
【００３０】
その取り付け壁部９Ａには、その仮想折り曲げ線９ｂ、９ｃの延びる方向に連続して、第１形態として組み立てたときに底部に位置する第２ミラー壁部９Ｄが形成されている。この第２ミラー壁部９Ｄにはその内面となる側に、図３に示す長方形状のミラー９ｄが貼り付けられている。その取り付け壁部９Ａは、図３に示す仮想折り曲げ線９ｂ、９ｃの延びる方向と直交する方向に沿って延びる仮想折り曲げ線９ｅを境界として、第２ミラー壁部９Ｄに対して紙面手前側に向かって所定角度に折り曲げることにより立ち上げられる。第２ミラー壁部９Ｄのその他の詳細な構成及び作用については後述する。
【００３１】
その第２ミラー壁部９Ｄには、この第２ミラー壁部９Ｄの延びる方向に連続して、第１形態として組み立てたときに、傾斜部となる連結壁部９Ｅが形成されている。この連結壁部９Ｅは、図３に示す仮想折り曲げ線９ｅに対して平行に延びる仮想折り曲げ線９ｆを境界として、第２ミラー壁部９に対して紙面手前側に向かって折り曲げることにより所定角度傾斜した姿勢で立ち上げられる。
【００３２】
その連結壁部９Ｅには、この連結壁部９Ｅの延びる方向に連続して、第１形態として組み立てたときに表示パネル３に対向する第１ミラー壁部９Ｆが形成されている。この第２ミラー壁部９Ｆにはその内面となる側に、図３に示す長方形状のミラー９ｇが貼り付けられている。この第２ミラー壁部９Ｆは、図３に示す仮想折り曲げ線９ｆと平行に延びる仮想折り曲げ線９ｈを境界として、連結壁部９Ｅに対して紙面手前側に向かって折り曲げることにより所定角度傾斜した姿勢で立ち上げられる。
【００３３】
その第１ミラー壁部９Ｆには、この連結壁部９Ｅの延びる方向に連続して、第１形態として組み立てたときに第２ミラー壁部９Ｄの上方に位置してこの第２ミラー壁部９Ｄと対向する上部壁部９Ｇが形成されている。この上部壁部９Ｇにはその外面となる側に、図２に示す透明部材が設けられている。ここでは、この透明部材は接眼レンズ９Ｈから構成されている。この接眼レンズ９Ｈは平板状の貼り付け部９Ｉと拡大レンズ部９Ｊとから構成されている。その上部壁部９Ｇには図３に示すように内部を除く円形窓部９Ｋが形成されている。その拡大レンズ部９Ｊはその円形開口９Ｌに対向して位置される。
【００３４】
その上部壁部９Ｇは、図３に示す仮想折り曲げ線９ｈと平行に延びる仮想折り曲げ線９ｉを境界として、第２ミラー壁部９Ｆに対して紙面手前側に向かって所定角度に折り曲げることにより立ち上げられる。
【００３５】
一対の外光遮断壁部９Ｂ、９Ｃはそのシート材９を第１形態としての箱形形状に組み立てられたときにその箱形形状のカメラ用ビュワー装置を側方から見たときにいわゆる光学式カメラに常用のペンタプリズムにその外観形状が似た形とされ、外光遮断壁部９Ｂ、９Ｃの各辺の為す角度はそのペンタプリズムの各面の為す角度にほぼ等しくされている。
【００３６】
一対の外光遮断壁部９Ｂ、９Ｃの各辺には、それぞれ差し込み片部９ｊ〜９ｌ、９ｊ’〜９ｌ’がそれぞれ形成されている。第２ミラー壁部９Ｄには、図３に示すようにミラー９ｄの短辺の両側にミラー９ｄを挟むようにして、一対の差し込み穴９ｍ、９ｍ’が形成されている。第１ミラー壁部９Ｆには、図３に示すようにミラー９ｇの短辺の両側に一対の差し込み穴９ｎ、９ｎ’が形成されている。上部壁部９Ｇには、図３に示すように円形窓部９Ｋを間に挟んで間隔を開けて対向しかつ差し込み穴９ｍ、９ｎ（９ｍ’、９ｎ’）の配列方向に沿って一対の差し込み穴９ｐ、９ｐ’が形成されている。
【００３７】
各差し込み穴９ｍ、９ｍ’には各差し込み片９ｌ、９ｌ’が対応し、各差し込み穴９ｎ、９ｎ’には各差し込み片９ｋ、９ｋ’が対応し、各差し込み穴９ｐ、９ｐ’には各差し込み片９ｊ、９ｊ’が対応するものとされている。
【００３８】
各外光遮断壁部９Ｂ、９Ｃを仮想折り曲げ線９ｂ、９ｃを境に取り付け壁部９Ａに対して折り曲げ、取り付け壁部９Ａを仮想折り曲げ線９ｅを境に折り曲げ、第２ミラー壁部９Ｄを仮想折り曲げ線９ｅに対して折り曲げ、連結壁部９Ｅを仮想折り曲げ線９ｆを境に第２ミラー壁部９Ｄに対して折り曲げ、第１ミラー壁部９Ｆを仮想折り曲げ線９ｈを境に連結壁部９Ｅに対して折り曲げ、上部壁部９Ｇを仮想折り曲げ線９Ｇを境に第１ミラー壁部９Ｆに対して折り曲げ、各差し込み穴９ｍ、９ｎ、９ｐ（９ｍ’、９ｎ’、９ｐ’）に互いに対応する各差し込み片９ｊ、９ｋ、９ｌ（９ｊ’、９ｋ’、９ｌ’）を差し込むことにより組み立てられ、図４に示すように、カメラボディの背面側に着脱可能で箱形形状のアングルファインダーとして用いる第１形態のカメラ用ビュワー装置１０が組み立てられる。
【００３９】
そのカメラ用ビュワー装置の取り付け壁部９Ａには、カメラボディの背面部にシート材９を装着するためのマジックテープ(登録商標)又は磁石又は粘着テープ（図示を略す）が設けられている。
【００４０】
このカメラ用ビュワー装置１０によれば、第１形態としての箱形形状に組み立てたときに、カメラボディ１の背面側からかつ上からカメラ用ビュワー装置を覗き込んでローアングルファインダーとして用いるとき、図５に示すように、表示パネル３に表示されている被写体画像ＰＧが第１ミラー９ｇに映る。その表示パネル３に表示の被写体画像ＰＧは、その第１ミラー９ｇにより下方に向けて投影されかつ第２ミラー９ｄに導かれる。
【００４１】
その第１ミラー９ｇにより第２ミラー９ｄに投影された被写体画像ＰＧの投影像ＰＧ’は、この第２ミラー９ｄにより上方に向けて再反射される。
【００４２】
従って、カメラボディ１の背面側でかつその上方からこのカメラ用ビュワー装置１０の内部を拡大レンズ部９Ｊを介して図５に示すように覗き込んだ場合、被写体画像ＰＧが第１ミラー９ｇと第２ミラー９ｄとの２回反射により正立画像として視認されることになる。その結果、構図を感覚的に決め易いという効果を奏する。
【００４３】
また、このカメラ用ビュワー装置１０によれば、一対の外光遮断壁部９Ｂ、９Ｃが設けられているので、明るい場所で撮影を行う場合でも外光が箱の内部に入射するのを防止できるので、表示パネル３に表示されている被写体画像ＰＧの視認性が向上するという効果を奏する。
【００４４】
次に、そのシート材９を図６に示す箱形形状の直視ファインダーとして用いる第２形態に組み立てた場合について、図７〜図９を参照しつつ説明する。
【００４５】
その図７はそのカメラ用ビュワー装置を箱形形状の直視ファインダーとして用いる際に使用するアタッチメント部材１１の展開図を示している。このアタッチメント部材１１は、上部遮光壁部１１Ａと一対の側方遮光壁部１１Ｂ、１１Ｃとから構成されている。上部遮光壁部１１Ａと一対の側方遮光壁部１１Ｂ、１１Ｃとの間にはヒンジ部１１ａ、１１ｂがそれぞれ形成されている。一対の側方遮光壁部１１Ｂ、１１Ｃは図８に示すように上部遮光壁部１１Ａに対して下方に向かって折り曲げ可能とされている。
【００４６】
その上部遮光壁部１１Ａ、一対の側方遮光壁部１１Ｂ、１１Ｃにはシート材９をこのアタッチメント部材１１に組み付けたときに取り付け壁部９Ａに当接する側に当接辺部１１ｃ、１１ｄ、１１ｅが形成されている。その一対の側方遮光壁部１１Ｂ、１１Ｃにはシート材９をこのアタッチメント部材１１に組み付けたときに上壁部９Ｇに当接する側に当接辺部１１ｆ、１１ｇが形成されると共に、第２ミラー壁部９Ｄ、連結壁部９Ｅ、第１ミラー壁部９Ｆに当接する側に当接辺部１１ｈ、１１ｉ（１１ｈ’、１１ｉ’）が形成されている。
【００４７】
その上部遮光壁部１１Ａと側方遮光壁部１１Ｂとの間には外光遮断壁部（図４参照）９Ｂの差し込み片部９ｊが差し込まれる差し込み穴１１ｊが形成され、その上部遮光壁部１１Ａと側方遮光壁部１１Ｃとの間には外光遮断壁部（図４参照）９Ｃの差し込み片部９ｊ’が差し込まれる差し込み穴１１ｊ’が形成されている。
【００４８】
当接辺部１１ｆ、１１ｇには上壁部９Ｇの差し込み穴９ｐ、９ｐ’に差し込まれる差し込み片部１１ｋ、１１ｌが形成されている。当接辺部１１ｉ、１１ｉ’には第１ミラー壁部９Ｆの差し込み穴９ｎ（９ｎ’）に差し込まれる差し込み片部１１ｍ（１１ｍ’）が形成されている。
【００４９】
このアタッチメント部材１１をシート材９に組み付けるには、図７に示すアタッチメント部材１１の上部遮光壁部１１Ａに対して一対の側方遮光壁部１１Ｂ、１１Ｃを図８に示すように下方に向かって折り曲げる。
【００５０】
ついで、取り付け壁部９Ａを起立させた状態でかつ一対の外光遮断壁部９Ｂ、９Ｃを起立させた状態で、上部遮光壁部１１Ａと一対の側方遮光壁部１１Ｂ、１１Ｃの各当接辺部１１ｃ、１１ｄ、１１ｅを取り付け壁部９Ａに当接させると共に、一対の側方遮光壁部１１Ｂ、１１Ｃの当接辺部１１ｈ、１１ｈ’を第２ミラー壁部９Ｄに当接させつつ、一対の外光遮断壁部９Ｂ、９Ｃの各差し込み片部９ｊ、９ｊ’を差し込み穴１１ｊ、１１ｊ’に差し込む。
【００５１】
そして、アタッチメント部材１１の当接辺部１１ｉ、１１ｉ’を連結壁部９Ｅと第１ミラー壁部１１Ｆとに当接させつつ、差し込み片部１１ｍ、１１ｍ’を第１ミラー壁部９Ｆの差し込み穴９ｎ、９ｎ’に差し込む。これにより、第１形態のときに表示パネル３に対向するシート材９の第１ミラー壁部９Ｆが底部方向に向かって退避されて、当接辺部１１ｉ、１１ｉ’に当接した状態で固定される。
【００５２】
ついで、シート部材９の上部壁部９Ｇを一対の側方遮光壁部１１Ｂ、１１Ｃの各当接辺部１１ｆ、１１ｇに当接させ、各差し込み片部１１ｋ、１１ｌを上部壁部９Ｇの差し込み穴９ｐ、９ｐ’に差し込む。これにより、図９に示すように第２形態としての箱形形状の直視ファインダーとして用いられるカメラ用ビュワー装置１０が組み立てられる。
【００５３】
そのアタッチメント部材１１は、従って、シート材９を第２形態として組み立てたときに、第１ミラー壁部９Ｆを表示パネル３に対向する位置から底部方向に向かって退避させた位置で固定すると共に上部壁部９Ｇを表示パネル３に対向する位置で固定するために、第２ミラー壁部９Ｄと第１ミラー壁部９Ｆと上部壁部９Ｇとの位置関係を規定する役割を果たす。
【００５４】
このカメラ用ビュワー装置１０は、図６に示すように、カメラボディ１の背面部でかつ表示パネル３に対向して着脱可能に固定される。
【００５５】
このカメラ用ビュワー装置１０によれば、図１０に模式的に示すように、第１形態として使用されるときに上部となる上部壁部９Ｇが第２形態として使用されるときに表示パネル３に対向する位置で固定され、従って、表示パネル３に表示された被写体画像ＰＧをそのまま拡大レンズ部９Ｊを介して直視できることになる。
【００５６】
従ってこの発明の実施の形態のカメラ用ビュワー装置１０によれば、ローアングル用ファインダーとしても、また、直視型ファインダーとしても用いることができ、更には、外光がファインダー内に入射するのを防止できると共に、被写体画像ＰＧを拡大して視認でき、加えて、部品点数を増加させることなく組み立てを行うことができるという効果を奏する。
【図面の簡単な説明】
【００５７】
【図１】デジタルカメラに本発明に係わる第１形態としてのカメラ用ビュワー装置を取り付けた状態を示す外観図である。
【図２】本発明に係わるカメラ用ビュワー装置の展開平面図であって、第１形態として組み立てたときに外側となる面からシート材を見た状態を示す図である。
【図３】本発明に係わるカメラ用ビュワー装置の展開図であって、第１形態として組み立てたときに内側となる面からシート材を見た状態を示す図である。
【図４】本発明に係わるカメラ用ビュワー装置の組み立て状態を示す外観図である。
【図５】本発明に係わるカメラ用ビュワー装置を第１形態として組み立てたときの作用を説明するための模式図である。
【図６】デジタルカメラに本発明に係わる第２形態としてのカメラ用ビュワー装置を取り付けた状態を示す外観図である。
【図７】本発明に係わるカメラ用ビュワー装置を第２形態に組み立てるときに用いるアタッチメント部材の展開平面図である。
【図８】図７に示す上壁部に対して一対の側壁部を下方に向かって折り曲げた状態を示す外観図である。
【図９】図８に示すアタッチメント部材を用いてシート材を固定して第２形態のカメラ用ビュワー装置を組み立てた状態を示す外観図である。
【図１０】図６に示す第２形態のカメラ用ビュワー装置の作用を説明するための模式図である。
【符号の説明】
【００５８】
１…カメラボディ
３…表示パネル
９…シート材
９Ａ…取り付け壁部
９Ｄ…第２ミラー壁部
９Ｆ…第１ミラー壁部
９Ｇ…上部壁部
【図１】
2007033968.tif 000003
【図２】
2007033968.tif 000004
【図３】
2007033968.tif 000005
【図４】
2007033968.tif 000006
【図５】
2007033968.tif 000007
【図６】
2007033968.tif 000008
【図７】
2007033968.tif 000009
【図８】
2007033968.tif 000010
【図９】
2007033968.tif 000011
【図１０】
2007033968.tif 000012